(57)【要約】      （修正有）【課題】複数の工事業者間での工事工程の調整作業を容易且つ確実に行なうことが可能になる工事工程表示装置および工事工程表示処理プログラムを提供する。【解決手段】工事工程表示装置は、複数の工事工程表をそれぞれ画像データとして取り込む工程表取り込み手段と、工程表取り込み手段により取り込まれた複数の工事工程表の画像データを、各工事工程表の同一の作業時期を示す間隔を対応させて重ねた工事工程表重ね画像データを生成する工程表重ね画像生成手段と、工程表重ね画像生成手段により生成された工事工程表重ね画像データを表示部に表示させる工程表重ね画像表示手段と、を備える。【選択図】図３
2020086768.tif 000002
【特許請求の範囲】
【請求項１】
複数の工事工程表をそれぞれ画像データとして取り込む工程表取り込み手段と、
前記工程表取り込み手段により取り込まれた複数の工事工程表の画像データを、各工事工程表の同一の作業時期を示す間隔を対応させて重ねた工事工程表重ね画像データを生成する工程表重ね画像生成手段と、
前記工程表重ね画像生成手段により生成された工事工程表重ね画像データを表示部に表示させる工程表重ね画像表示手段と、
を備えた工事工程表示装置。
【請求項２】
前記工程表重ね画像表示手段により表示された工事工程表重ね画像データの各工事工程表に含まれる作業時期の範囲を示す棒状表示体を、ユーザ操作に応じて移動または延長または短縮して変更する作業時期変更手段、
を備えた請求項１に記載の工事工程表示装置。
【請求項３】
前記作業時期変更手段により前記棒状表示体を変更した後の工事工程表重ね画像データに対応して、前記工程表取り込み手段により取り込まれた工事工程表の画像データを更新する工程表画像更新手段と、
前記工程表画像更新手段により更新された工事工程表の画像データを外部に出力する工程表画像出力手段と、
を備えた請求項２に記載の工事工程表示装置。
【請求項４】
前記工程表重ね画像生成手段は、
前記工程表取り込み手段により取り込まれた複数の工事工程表の画像データの各工事工程表に含まれる作業時期を認識する作業時期認識手段を有し、
前記作業時期認識手段により認識された各工事工程表に含まれる作業時期に基づいて、各工事工程表の同一の作業時期を示す間隔を対応させて重ねてなる工事工程表重ね画像データを生成する、
請求項１ないし請求項３の何れか一項に記載の工事工程表示装置。
【請求項５】
前記工程表取り込み手段により取り込まれた複数の工事工程表の画像データの各工事工程表に含まれる作業場所を認識する作業場所認識手段と、
前記作業場所認識手段により認識された各工事工程表に含まれる作業場所に基づいて、前記工程表重ね画像表示手段により表示部に表示された工事工程表重ね画像データの各工事工程表に含まれる同一の作業場所を識別表示させる作業場所識別表示手段と、
を備えた請求項１ないし請求項４の何れか一項に記載の工事工程表示装置。
【請求項６】
前記表示部はタッチパネル式表示部であり、
前記作業時期変更手段は、前記タッチパネル式表示部に対するユーザのタッチ操作に応じて、前記工程表重ね画像表示手段により表示された工事工程表重ね画像データの各工事工程表に含まれる作業時期の範囲を示す棒状表示体を移動または延長または短縮して変更する、
請求項２又は請求項３に記載の工事工程表示装置。
【請求項７】
前記工程表画像出力手段は、前記作業時期変更手段により前記棒状表示体を変更した後の工事工程表重ね画像データと、前記工程表画像更新手段により更新された工事工程表の画像データとを、外部に出力する、
請求項３に記載の工事工程表示装置。
【請求項８】
表示部を備えた電子機器のコンピュータを、
複数の工事工程表をそれぞれ画像データとして取り込む工程表取り込み手段、
前記工程表取り込み手段により取り込まれた複数の工事工程表の画像データを、各工事工程表の同一の作業時期を示す間隔を対応させて重ねた工事工程表重ね画像データを生成する工程表重ね画像生成手段、
前記工程表重ね画像生成手段により生成された工事工程表重ね画像データを前記表示部に表示させる工程表重ね画像表示手段、
として機能させるためのコンピュータ読み込み可能な工事工程表示処理プログラム。
【発明の詳細な説明】
【技術分野】
【０００１】
本発明の実施形態は、複数の工事業者が並行して工事を進めるのに使用される工事工程表示装置および工事工程表示処理プログラムに関する。
【背景技術】
【０００２】
例えば、建設工事において、同時期、同一場所で複数の工事業者が並行して工事を進めることがある。
【０００３】
一般に、理想的な工事の進行は、土木工事、建築工事、機械設備工事、電気設備工事の順になり、工事に着工する前の計画段階では、各工事がその時期や場所において重ならないように、あるいは同時並行等が必要な工事の場合は敢えて重なるように各工事業者の工事工程表を作成する。
【０００４】
しかしながら、実際に工事が始まると、工事業者毎に、工期の変動が頻繁に生じるため、各工事業者間でその工程の調整が必要になり、週単位や月単位など定期的に各工事業者を集めた工程会議を実施している。この工程会議において、工程の調整がしきれなくなると、例えば、優先すべき他の工事業者の工事を待つことによる工事の停滞、工期の遅延などのリスクが発生する。
【０００５】
工程会議では、各工事業者が各々の工事工程表を持ち寄って、お互いの都合が付くようにその工程の短縮、延長、移動等の変更を行ない調整することになるが、工事業者毎に工事工程表のフォーマットが異なる。
【０００６】
このため、例えば、自業者の工事工程に影響する他業者の工事工程の見極め作業やその比較作業、影響する他業者の工事工程を自業者の工事工程へ反映する作業など、調整作業全般に非常に手間が掛かり面倒で長い時間を要する。
【０００７】
また、工程会議での工程の調整は、手間が掛かり面倒であるが故、工事業者間で口頭により工程の取り決めが行われることも少なくなく、このような場合、調整した工程の記録が存在せず調整が不十分になる。
【先行技術文献】
【特許文献】
【０００８】
【特許文献１】特開２００６−３３８５６１号公報
【特許文献２】特開２０１５−１１８５３５号公報
【特許文献３】特開２００９−１３９９９６号公報
【発明の概要】
【発明が解決しようとする課題】
【０００９】
本発明が解決しようとする課題は、複数の工事業者間での工事工程の調整作業を容易且つ確実に行なうことが可能になる工事工程表示装置および工事工程表示処理プログラムを提供することにある。
【課題を解決するための手段】
【００１０】
実施形態の工事工程表示装置は、複数の工事工程表をそれぞれ画像データとして取り込む工程表取り込み手段と、前記工程表取り込み手段により取り込まれた複数の工事工程表の画像データを、各工事工程表の同一の作業時期を示す間隔を対応させて重ねた工事工程表重ね画像データを生成する工程表重ね画像生成手段と、前記工程表重ね画像生成手段により生成された工事工程表重ね画像データを表示部に表示させる工程表重ね画像表示手段と、を備えている。
【図面の簡単な説明】
【００１１】
【図１】実施形態の工事工程表示装置１０を、タブレット端末を使用して実現した場合の外観構成を示す正面図。
【図２】実施形態の工事工程表示装置１０の電子回路の構成を示すブロック図。
【図３】工事工程表示装置１０の工事工程表示処理プログラム１２ａおよび画像／図形処理プログラム１２ｂに従った工事工程表示処理を示すフローチャート。
【図４】複数の工事業者の工事工程表Ｔ１，Ｔ２を示す図であり、同図（Ａ）は電気工事工程表Ｔ１を示す図、同図（Ｂ）は機械工事工程表Ｔ２を示す図。
【図５】工事工程表示装置１０の工事工程表示処理に従い電気工事工程表Ｔ１の画像データ１２ｅ１と機械工事工程表Ｔ２の画像データ１２ｅ２とを重ねて生成した工事工程表重ね画面Ｇの表示動作を示す図。
【図６】工事工程表示装置１０の工事工程表示処理に従った工事工程表重ね画面Ｇでの工程の調整に応じた表示動作（その１）を示す図。
【図７】工事工程表示装置１０の工事工程表示処理に従った工事工程表重ね画面Ｇでの工程の調整に応じた表示動作（その２）を示す図。
【発明を実施するための形態】
【００１２】
以下、実施形態の工事工程表示装置について、図面を参照して説明する。
【００１３】
図１は、実施形態の工事工程表示装置１０を、タブレット端末を使用して実現した場合の外観構成を示す正面図である。
【００１４】
工事工程表示装置１０は、タブレット端末に限らず、ＰＣ(Personal Computer)やＰＤＡ(Personal Data Assistant)などの表示部を備えた情報機器を使用して実現できる。
【００１５】
図１では、例えば、自社工事工程表Ｔ１は表作成ツールを使用して作成され、Ａ社工事工程表Ｔ２とＢ社工事工程表Ｔ３は何れも手書きにより作成された後、画像として取り込まれたものとし、当該各工事工程表Ｔ１〜Ｔ３の紙に手書きあるいは画像に付加した作業時期識別マーク「○」Ａ１〜「○」Ａ５および「△」Ｂ１〜「△」Ｂ４に基づいて、各工事工程表Ｔ１〜Ｔ３間で調整に必要な作業時期を示す間隔が合うように各工事工程表Ｔ１〜Ｔ３の画像を重ねて生成した工事工程表重ね画面Ｇを示している。
【００１６】
図２は、実施形態の工事工程表示装置１０の電子回路の構成を示すブロック図である。
【００１７】
工事工程表示装置１０は、コンピュータとしてのＣＰＵ（制御部）１１を備える。
【００１８】
ＣＰＵ１１は、メモリ１２に予め記憶されたプログラム、あるいはメモリカードなどの外部記録媒体１４から記録媒体読取部１３により読み込まれてメモリ１２に記憶されたプログラム、あるいはインターネットなどの通信ネットワークＮ上のＷｅｂサーバ（この場合はプログラムサーバ）２０から通信部１５を介してダウンロードされメモリ１２に記憶されたプログラムに従い、回路各部の動作を制御する。
【００１９】
ＣＰＵ１１には、システムおよびデータバス（Ｂｕｓ）を介して、メモリ１２、記録媒体読取部１３、通信部１５、タッチパネル式表示部１６、撮像部（デジタルカメラ）１７＜工程表取り込み手段＞、音声入力部１８ａ、音声出力部１８ｂ、近距離無線通信部１９が接続される。
【００２０】
近距離無線通信部１９は、Bluetooth（登録商標）などの通信機能を有し、ＣＰＵ１１の制御により、他の工事工程表示装置１０などの外部の情報機器３０と通信接続する。
【００２１】
メモリ１２には、本装置１０の全体的な動作を制御するためのシステムプログラムのほか、工事工程表示処理プログラム１２ａ、画像／図形処理プログラム１２ｂなどのプログラムデータが記憶される。工事工程表示処理プログラム１２ａおよび画像／図形処理プログラム１２ｂをＣＰＵ１１が実行することにより得られる機能については、後述する。
【００２２】
また、メモリ１２には、作業時期認識データ１２ｃ、作業場所認識データ１２ｄ、工事工程表画像データ１２ｅ１，１２ｅ２，…、工事工程表重ね画像データ１２ｆなどを記憶するためのデータ記憶エリアが確保される。
【００２３】
作業時期認識データ１２ｃは、画像データに含まれる作業時期に対応する間隔を認識するための予め定められた作業時期識別マーク（「○」や「△」…など）のデータである。
【００２４】
なお、作業時期認識データ１２ｃは、他の実施形態として、画像データに含まれるテキストから数字との組み合わせからなる作業時期に関する情報（３０年，３１年，１月，２月，１週，２週，１日，２日など）を認識するための認識対象文字（「年」「月」「週」「日」など）のデータとしてもよい。
【００２５】
作業場所認識データ１２ｄは、画像データに含まれる作業場所に対応する表記を認識するための予め定められた作業場所識別マーク（「◎」など：図４参照）のデータである。
【００２６】
なお、作業場所認識データ１２ｄは、他の実施形態として、画像データに含まれるテキストから数字または他の文字との組み合わせからなる作業場所に関する情報（Ｂ１Ｆ，１Ｆ，２Ｆ，地階，１階，２階，屋上，Ａ棟，Ｂ棟など）を認識するための認識対象文字（「Ｆ」「Ｂ」「Ｒ」「階」「地」「屋」「室」「棟」など）のデータとしてもよい。
【００２７】
工事工程表画像データ１２ｅ１，１２ｅ２，…は、撮像部１７により撮影された複数の工事業者の工事工程表Ｔ１，Ｔ２，…の画像データであり、各工事工程表画像データ１２ｅ１，１２ｅ２，…には、各工事業者の識別子ＩＤのデータ（各工事業者が使用する工事工程表示装置１０の通信アドレスなど）が対応付けられて記憶される。
【００２８】
工事工程表重ね画像データ１２ｆは、複数の工事工程表画像データ１２ｅ１，１２ｅ２，…を１画面に重ねた画像データである。
【００２９】
本実施形態の工事工程表示装置１０は、ＣＰＵ１１が、工事工程表示処理プログラム１２ａおよび画像／図形処理プログラム１２ｂを実行することにより、少なくとも以下（１）〜（８）の機能を有する。
【００３０】
（１）撮像部１７により撮影した複数の工事業者の工事工程表Ｔ１，Ｔ２，…の画像データ１２ｅ１，１２ｅ２，…を、１画面に重ね（メモリ上での処理）、工事工程表重ね画像データ１２ｆを生成する機能＜工程表重ね画像生成手段＞。
【００３１】
（２）工事工程表重ね画像データ１２ｆを生成する際に、各工事工程表画像データ（Ｔ１）１２ｅ１，（Ｔ２）１２ｅ２，…に含まれる作業時期識別マーク（「○」Ａ１，Ａ２，…や「△」Ｂ１，Ｂ２，…など）を認識し、または作業時期に関する情報（文字列）を認識し、各工程表間の同一の作業時期に対応する間隔を合わせて画像の拡大／縮小を行ない重ね合わせ処理する機能。
【００３２】
なお、作業時期識別マーク（「○」Ａ１，Ａ２，…や「△」Ｂ１，Ｂ２，…など）は、ユーザによって、工事工程表Ｔ１，Ｔ２，…を撮影する前に手書きで付加されるか、または撮影された後の画像に付加される。
【００３３】
（３）工事工程表重ね画像データ１２ｆをタッチパネル式表示部１６に工事工程表重ね画面Ｇとして表示させる機能＜工程表重ね画像表示手段＞。
【００３４】
（４）工事工程表重ね画面Ｇとしてタッチパネル式表示部１６に表示された工事工程表重ね画像データ１２ｆの各工程表Ｔ１，Ｔ２，…の枠などに対するユーザのタッチ操作に応じて、各工事工程表画像データ（Ｔ１）１２ｅ１，（Ｔ２）１２ｅ２，…の重なる位置を移動させる機能。
【００３５】
（５）工事工程表重ね画面Ｇとしてタッチパネル式表示部１６に表示された工事工程表重ね画像データ１２ｆの各工程表Ｔ１，Ｔ２，…の工程バー（該当する工事の作業時期の範囲を示す棒状表示体）Ｔｎａ，Ｔｎｂ，…（ｎ＝１，２，…）に対するユーザのタッチ操作に応じて、タッチ位置に対応する工程バーＴｎａ，Ｔｎｂ，…を図形として抽出し、抽出した工程バーを画面Ｇ上でコピー、移動、貼付け、延長、短縮などにより編集処理（調整）する機能＜作業時期変更手段＞。
【００３６】
（６）各工事工程表画像データ（Ｔ１）１２ｅ１，（Ｔ２）１２ｅ２，…が重なった範囲において、当該各工事工程表画像データ（Ｔ１）１２ｅ１，（Ｔ２）１２ｅ２，…が識別可能なように透過して表示させる（色や線種を異ならせる処理を含む）機能。
【００３７】
（７）工程バーＴｎａ，Ｔｎｂ，…を編集処理（調整）した状態で、各工事工程表画像データ（Ｔ１）１２ｅ１，（Ｔ２）１２ｅ２，…を更新する機能＜工程表画像更新手段＞。
【００３８】
（８）工事工程表重ね画面Ｇとしてタッチパネル式表示部１６に表示された工事工程表重ね画像データ１２ｆまたは更新した各工事工程表画像データ（Ｔ１）１２ｅ１，（Ｔ２）１２ｅ２，…を、外部に出力する機能＜工程表画像出力手段＞。
【００３９】
このように構成された工事工程表示装置１０は、ＣＰＵ１１が工事工程表示処理プログラム１２ａおよび画像／図形処理プログラム１２ｂに記述された命令に従い各部の動作を制御し、ソフトウエアとハードウエアとが協働して動作することにより、以下の動作説明で述べるような、工事工程表示機能（図３）を実現する。
【００４０】
次に、このように構成した工事工程表示装置１０の動作について説明する。
【００４１】
図３は、工事工程表示装置１０の工事工程表示処理プログラム１２ａおよび画像／図形処理プログラム１２ｂに従った工事工程表示処理を示すフローチャートである。
【００４２】
図４は、複数の工事業者の工事工程表Ｔ１，Ｔ２を示す図であり、同図（Ａ）は電気工事工程表Ｔ１を示す図、同図（Ｂ）は機械工事工程表Ｔ２を示す図である。
【００４３】
本実施形態において、各工事工程表Ｔ１，Ｔ２は、各工事業者により紙または板書（手書き）によって用意され、各工事工程表Ｔ１，Ｔ２のサイズは勿論、作業時期を示す横方向の間隔、作業種または作業場所を示す縦方向の配列を含むフォーマットが異なるものと仮定する。
【００４４】
図４の具体例では、各工事工程表Ｔ１，Ｔ２により横方向に示される全体の工事時期は、工事工程表Ｔ１が「３月」〜翌年「２月」、工事工程表Ｔ２が「１月」〜翌年「３月」と異なり、その各月の間隔も大きく異なる。また、縦方向に配列して示される作業場所も、電気工事工程表Ｔ１は１行目「１Ｆ」〜４行目「４Ｆ」、機械工事工程表Ｔ２は１行目「地２」、２行目「地１」、３行目「３階」、４行目「屋上」と異なる。
【００４５】
本実施形態の具体例では、工程会議において、電気工事業者が紙で持参あるいは板書した電気工事工程表Ｔ１（図４（Ａ）参照）と、機械工事業者が紙で持参あるいは板書した機械工事工程表Ｔ２（図４（Ｂ）参照）とを用いて、工程の調整を行なうものと仮定する。
【００４６】
図５は、工事工程表示装置１０の工事工程表示処理に従い電気工事工程表Ｔ１の画像データ１２ｅ１と機械工事工程表Ｔ２の画像データ１２ｅ２とを重ねて生成した工事工程表重ね画面Ｇの表示動作を示す図である。
【００４７】
図６は、工事工程表示装置１０の工事工程表示処理に従った工事工程表重ね画面Ｇでの工程の調整に応じた表示動作（その１）を示す図である。
【００４８】
図７は、工事工程表示装置１０の工事工程表示処理に従った工事工程表重ね画面Ｇでの工程の調整に応じた表示動作（その２）を示す図である。
【００４９】
工事工程表示処理の開始に従い、例えば、タッチパネル式表示部１６に表示された処理メニューおいて、「工程表取り込み」を示す項目がユーザによりタッチされると、ＣＰＵ１１は、撮像部（カメラ）１７を起動させ、工事工程表Ｔｎ（ｎ＝１，２，…）の取り込みをユーザに促すメッセージを表示部１６に表示させる。
【００５０】
ここで、工事工程表Ｔ１，Ｔ２には、工事時期の間隔を合わせるための工事時期識別マーク「○」Ａ１〜「○」Ａ１１を、各工事工程表Ｔ１，Ｔ２の工程の調整に必要となる例えば各月の境界の位置に、ユーザの手書きにより付加しておく。
【００５１】
また、工事工程表Ｔ１，Ｔ２には、当該工事工程表Ｔ１，Ｔ２間で同じ作業場所に対応する表記を認識するための作業場所識別マーク「◎」Ｍを、同じ作業場所の表記（Ｔ１では「３Ｆ」、Ｔ２では「３階」）のある位置に、ユーザの手書きにより付加しておく。
【００５２】
工事工程表示装置１０の撮像部１７により、先ず、電気工事工程表Ｔ１を撮影すると、ＣＰＵ１１は、撮影された電気工事工程表Ｔ１の画像データ１２ｅ１を取り込み（ステップＳ１）、タッチパネル式表示部１６に表示させ、メモリ１２に記憶させ保存する（ステップＳ２）＜工程表取り込み手段＞。
【００５３】
続いて、工程の調整に追加すべき機械工事工程表Ｔ２を撮影すると（ステップＳ３（Ｙｅｓ））、ＣＰＵ１１は、撮影された機械工事工程表Ｔ２の画像データ１２ｅ２を取り込み（ステップＳ１）、タッチパネル式表示部１６に表示させ、メモリ１２に記憶させ保存する（ステップＳ２）＜工程表取り込み手段＞。
【００５４】
この際、ＣＰＵ１１は、各工事工程表Ｔ１，Ｔ２の一部に記述されていた各工事業者の識別子ＩＤ１，ＩＤ２（各工事業者が使用する工事工程表示装置１０の通信アドレスなど）を文字認識し、メモリ１２に記憶させる各工事工程表画像データ（Ｔ１）１２ｅ１，（Ｔ２）１２ｅ２に対応付けて記憶させる。なお、各工事業者の識別子ＩＤ１，ＩＤ２は、各工事工程表画像データ（Ｔ１）１２ｅ１，（Ｔ２）１２ｅ２を取り込む毎に、タッチパネル式表示部１６に表示させたソフトキーボードのユーザ操作に応じて入力してもよい。
【００５５】
なお、工事時期識別マーク「○」Ａ１〜「○」Ａ１１および作業場所識別マーク「◎」Ｍは、各工事工程表Ｔ１，Ｔ２の画像データ１２ｅ１，１２ｅ２を取り込んでタッチパネル式表示部１６に表示させた段階で、当該タッチパネル式表示部１６に対するユーザのタッチ操作に応じて付加してもよい。
【００５６】
ここで、例えば、タッチパネル式表示部１６に表示された処理メニューおいて、「工程表重ねる」を示す項目がユーザによりタッチされると（ステップＳ４）、ＣＰＵ１１は、メモリ１２に記憶されている作業時期認識データ１２ｃ（作業時期識別マーク「○」あるいは認識対象文字「月」）に基づき、メモリ１２に保存された各工事工程表画像データ（Ｔ１）１２ｅ１，（Ｔ２）１２ｅ２に含まれる工程の調整に必要な作業時期（「３月」〜「２月」）の間隔、あるいは作業時期に関する文字列（「１月」〜「１２月」）を認識する（ステップＳ５）＜作業時期認識手段＞。
【００５７】
また、ＣＰＵ１１は、メモリ１２に記憶されている作業場所認識データ１２ｄ（作業場所識別マーク「◎」あるいは認識対象文字「Ｆ」「地」「階」「屋」）に基づき、メモリ１２に保存された各工事工程表画像データ（Ｔ１）１２ｅ１，（Ｔ２）１２ｅ２に含まれる同じ作業場所に対応する表記（工程表Ｔ１では「３Ｆ」、工程表Ｔ２では「３階」）あるいは作業場所に関する文字列（工程表Ｔ１では「１Ｆ」〜「４Ｆ」、工程表Ｔ２では「地２」「地１」「３階」「屋上」）を認識する（ステップＳ６）＜作業場所認識手段＞。
【００５８】
すると、ＣＰＵ１１は、各工事工程表画像データ（Ｔ１）１２ｅ１，（Ｔ２）１２ｅ２において、ステップＳ５にて認識された作業時期（「３月」〜「２月」）の間隔が対応するように、当該各画像データ（Ｔ１）１２ｅ１，（Ｔ２）１２ｅ２を拡大または縮小し（ここでは画像データ（Ｔ２）１２ｅ２を横方向に拡大）、図５に示すように、当該各画像データ（Ｔ１）１２ｅ１，（Ｔ２）１２ｅ２を上下に重ねた工事工程表重ね画像データ１２ｆを生成し＜工程表重ね画像生成手段＞、工事工程表重ね画面Ｇとしてタッチパネル式表示部１６に表示させる（ステップＳ７）＜工程表重ね画像表示手段＞。
【００５９】
これにより、ユーザは、各工事業者が持ち寄ったり板書したりした異なるフォーマットの工事工程表Ｔ１，Ｔ２，…を、当該工程表Ｔ１，Ｔ２，…それぞれの工程の調整に必要な作業時期に対応する表の間隔を合わせて一体化した工事工程表重ね画面Ｇにして閲覧することができ、工事全体の工程を容易に把握して検討できるようになる。よって、例えば、自業者の工事工程に影響する他業者の工事工程が、工事全体の工程の中で何処に存在するのかを、容易に確認できるようになる。
【００６０】
そして、ＣＰＵ１１は、タッチパネル式表示部１６に表示された工事工程表重ね画像データ１２ｆに含まれる、ステップＳ６にて認識された各工程表Ｔ１，Ｔ２間で同一の作業場所の表記（工程表Ｔ１では「３Ｆ」、工程表Ｔ２では「３階」）が存在する当該各工程表Ｔ１，Ｔ２のセルを、反転処理や色付け処理などにより識別表示Ｈさせる（ステップＳ８）＜作業場所識別表示手段＞。
【００６１】
これにより、ユーザは、自業者の工事工程と他業者の工事工程との間で、同一の作業場所であるところのお互いの工事工程を容易に把握することができ、例えば、同一の作業場所でお互いの作業時期が被ってしまうところを素早く確認できるようになる。
【００６２】
図５に示す工事工程表重ね画面Ｇでは、電気工事の工程表Ｔ１と機械工事の工程表Ｔ２との間で、識別表示Ｈされた同一の作業場所「３Ｆ」「３階」に対応する各工程バーＴ１ｃ，Ｔ２ｃが示す作業時期に基づき、「３Ｆ（３階）」で行う工事の作業時期が一部被ってしまうことを容易に確認できる。
【００６３】
ここで、同一の作業場所「３Ｆ（３階）」で作業時期が一部被っていることを確認した各工程バーＴ１ｃ，Ｔ２ｃを正確に比較するため、ユーザが、各工程バーＴ１ｃ，Ｔ２ｃの一方（ここではＴ２ｃ）をタッチ操作して指定すると（ステップＳ９（Ｙｅｓ））、ＣＰＵ１１は、指定された工程バーＴ２ｃを図形編集（コピー・移動・貼付け・延長（拡大）・短縮（縮小））の対象物として抽出する（ステップＳ１０）。
【００６４】
ユーザがタッチ操作して指定した「３階」の機械工事の工程バーＴ２ｃから、そのタッチ操作位置を、矢印Ｍｃに示すように、「３Ｆ」の電気工事の工程バーＴ１ｃの位置まで移動すると、ＣＰＵ１１は、工程バーＴ２ｃをコピーし、コピーした工程バーＴ２ｃをユーザのタッチ操作位置の移動（Ｍｃ）に応じて移動させ、移動後のタッチ操作位置である工程バーＴ１ｃに重ねて貼り付ける（ステップＳ１０）。
【００６５】
これにより、ユーザは、同一の作業場所「３Ｆ（３階）」で作業時期が一部被っている各工程バーＴ１ｃ，Ｔ２ｃを直接比較して、「３Ｆ（３階）」の電気工事を始める予定の「７月」に「３Ｆ（３階）」の機械工事が終わる予定の「７月」が被ることを一目瞭然に確認できる。
【００６６】
この後、「３Ｆ（３階）」の電気工事と機械工事との作業時期の被り「７月」を解消するため、例えば、電気工事の工程バーＴ１ｃをユーザがタッチ操作して指定し、そのタッチ操作位置を一月分の表の間隔で右方向に移動させると、ＣＰＵ１１は、図６の矢印ｍ１に示すように、当該電気工事の工程バーＴ１ｃをユーザ操作に応じて移動させ、「８月」〜「１２月」の範囲に作業時期を調整した工程バーＴ１ｃ´にして表示させる（ステップＳ９（Ｙｅｓ））→Ｓ１０）＜作業時期変更手段＞。
【００６７】
ここで、タッチパネル式表示部１６に表示された処理メニューおいて、「決定」を示す項目がユーザによりタッチされると（ステップＳ１３（Ｙｅｓ））、ＣＰＵ１１は、図６に示すように、「３Ｆ」の電気工事を一月先に移動して調整した状態での工程バーＴ１ｃ´を有する工事工程表重ね画像データ１２ｆに対応させて、当該工事工程表重ね画像データ１２ｆの生成元であるメモリ１２内の電気工事の工事工程表画像データ１２ｅ１と機械工事の工事工程表画像データ１２ｅ２とを更新して保存する（ステップＳ１４）＜工程表画像更新手段＞。
【００６８】
また、図５で示したように、同一の作業場所「３Ｆ（３階）」で電気工事と機械工事の作業時期が被っている工程バーＴ１ｃの表示位置に、工程バーＴ２ｃをコピー・移動・貼付けし、当該各工程バーＴ１ｃ，Ｔ２ｃを直接比較した状態で、例えば、「２Ｆ」の電気工事（工程バーＴ１ｂ「５月」〜「６月」）が終わらないと「３階」の機械工事（工程バーＴ２ｃ）を開始できないとの理由により、当該直接比較している機械工事の工程バーＴ２ｃ（「６月」〜「７月」）をユーザがタッチ操作して指定し、そのタッチ操作位置を一月分の表の間隔で右方向に移動させると、ＣＰＵ１１は、図７の矢印ｍ２に示すように、当該直接比較している機械工事の工程バーＴ２ｃをユーザ操作に応じて移動させ、「７月」〜「８月」の範囲に作業時期を調整した工程バーＴ２ｃ´にして表示させる（ステップＳ９（Ｙｅｓ））→Ｓ１０）＜作業時期変更手段＞。
【００６９】
この際、ＣＰＵ１１は、作業時期を調整した工程バーＴ２ｃ´について、工程表Ｔ２→Ｔ１間で移動された工程バーＴ２ｃを変更（調整）したものであると判定し（ステップＳ１１（Ｙｅｓ））、図７の矢印ｍ２´に示すように、当該工程バーＴ２ｃの移動元である工程表Ｔ２の工程バーＴ２ｃを、作業時期の変更（調整）を反映させた工程バーＴ２ｃ´にして表示させる（ステップＳ１２）。
【００７０】
続いて、「７月」〜「８月」の範囲に移動して調整した「３階」の機械工事（工程バーＴ２ｃ´）と「３Ｆ」の電気工事（工程バーＴ１ｃ）との作業時期の被りを解消するため、例えば、電気工事の工程バーＴ１ｃの開始位置に相当する左端をユーザがタッチ操作して指定し、そのタッチ操作位置を二月分の表の間隔で右方向に移動させると、ＣＰＵ１１は、図７の矢印ｓｈに示すように、当該電気工事の工程バーＴ１ｃをユーザ操作に応じて短縮し、「９月」〜「１２月」の範囲に作業時期を詰めて調整した工程バーＴ１ｃ´´にして表示させる（ステップＳ９（Ｙｅｓ））→Ｓ１０）＜作業時期変更手段＞。
【００７１】
ここで、タッチパネル式表示部１６に表示された処理メニューおいて、「決定」を示す項目がユーザによりタッチされると（ステップＳ１３（Ｙｅｓ））、ＣＰＵ１１は、図７に示すように、「３階」の機械工事を「７月」〜「８月」に移動して調整（工程バーＴ２ｃ´）すると共に、「３Ｆ」の電気工事を「９月」〜「１２月」の４か月に短縮して調整（工程バーＴ１ｃ´´）した状態での工事工程表重ね画像データ１２ｆに対応させて、当該工事工程表重ね画像データ１２ｆの生成元であるメモリ１２内の電気工事の工事工程表画像データ１２ｅ１と機械工事の工事工程表画像データ１２ｅ２とを更新して保存する（ステップＳ１４）＜工程表画像更新手段＞。
【００７２】
これにより、例えば、複数の工事業者間で互いに影響する工事工程を、工事工程表重ね画面Ｇにて容易に素早く確認できるだけでなく、作業時期として影響のある工事工程（工程バーＴｎａ，Ｔｎｂ，…（ｎ＝１，２））を、当該工程バーＴｎａ，Ｔｎｂ，…（ｎ＝１，２）の移動、短縮、延長によって容易に調整できるようになる。
【００７３】
この後、タッチパネル式表示部１６に表示された処理メニューおいて、「共有」を示す項目がユーザによりタッチされると（ステップＳ１５（Ｙｅｓ））、ＣＰＵ１１は、ステップＳ１４にて更新して保存したメモリ１２内の各工事工程表画像データ（Ｔ１）１２ｅ１，（Ｔ２）１２ｅ２を、当該各工事工程表画像データ（Ｔ１）１２ｅ１，（Ｔ２）１２ｅ２に対応付けられた各工事業者の識別子ＩＤ１，ＩＤ２に基づいて、各工事業者が使用する工事工程表示装置１０に送信する（ステップＳ１６）。なおこの際、図６、図７で示したように、各工事業者の工事工程を調整した状態での工事工程表重ね画面Ｇに対応する工事工程表重ね画像データ１２ｆも加えて、各工事業者が使用する工事工程表示装置１０に送信してもよいのは勿論である＜工程表画像出力手段＞。
【００７４】
これにより、複数の工事業者間で適切に工事工程を調整した後の新たな工事工程表Ｔ１，Ｔ２を、各工事業者が容易且つ確実に受け取って、各工事業者が担当する工事を円滑に進めることができる。
【００７５】
なお、メモリ１２内の各工事工程表画像データ（Ｔ１）１２ｅ１，（Ｔ２）１２ｅ２および工事工程表重ね画像データ１２ｆは、例えば、近距離無線通信部１９を介して通信接続された印刷装置へ送信して紙に印刷し、印刷した紙の各工事工程表Ｔ１，Ｔ２および工事工程表重ね画面Ｇを各対応する工事業者に渡して情報共有してもよい。
【００７６】
したがって、このように構成した工事工程表示装置１０によれば、複数の工事業者それぞれの工事工程表Ｔ１，Ｔ２，…を、工事工程表画像データ（Ｔ１）１２ｅ１，（Ｔ２）１２ｅ２，…として取り込み＜工程表取り込み手段＞、取り込んだ各工事工程表画像データ１２ｅ１，１２ｅ２，…を、当該各画像データ１２ｅ１，１２ｅ２，…間で同一の作業時期の間隔が合うように拡大または縮小して重ねた工事工程表重ね画像データ１２ｆを生成し＜作業時期認識手段＞＜工程表重ね画像生成手段＞、生成した工事工程表重ね画像データ１２ｆを工事工程表重ね画面Ｇとしてタッチパネル式表示部１６に表示させる＜工程表重ね画像表示手段＞。工事工程表重ね画面Ｇにおいて、例えば、自業者と他業者の工程表Ｔ１，Ｔ２，…間で作業時期が被るなどの影響ある工程バーＴｎａ，Ｔｎｂ，…（ｎ＝１，２，…）を対象に、ユーザがタッチして移動、延長、短縮の操作を行なうと、当該タッチ操作に応じてその対象の工程バーＴｎａ，Ｔｎｂ，…が移動、延長、短縮され、工事工程が調整される＜作業時期変更手段＞。
【００７７】
そして、工事工程が調整された工事工程表重ね画像データ１２ｆに対応して、各工事工程表画像データ（Ｔ１）１２ｅ１，（Ｔ２）１２ｅ２，…が更新され＜工程表画像更新手段＞、更新された各工事工程表画像データ１２ｅ１，１２ｅ２，…が、例えば、各工事業者の工事工程表示装置１０あるいは情報機器３０に送信されて情報共有される＜工程表画像出力手段＞。
【００７８】
これにより、例えば、工程会議の場において、複数の工事業者がそれぞれ持ち寄った工事工程表が、異なるフォーマットで作成されていたとしても、当該複数の工事業者間での工事工程の調整作業を容易且つ確実に行なうことが可能になる。
【００７９】
また、このように構成した工事工程表示装置１０によれば、工事工程表重ね画面Ｇ（工事工程表重ね画像データ１２ｆ）において、重ねられた各工事工程表画像データ（Ｔ１）１２ｅ１，（Ｔ２）１２ｅ２，…間に同一の作業場所を示す表のセルがある場合は、当該同一の作業場所を示す表のセルが識別表示される＜作業場所認識手段＞＜作業場所識別表示手段＞。
【００８０】
これにより、複数の工事業者間で、同一の作業場所にて、その作業時期が被っていたりいなかったりする工程バーＴｎａ，Ｔｎｂ，…（ｎ＝１，２，…）を、容易且つ素早く見つけ出して調整することが可能になる。
【００８１】
なお、本実施形態の工事工程表示装置１０では、各工事業者の工事工程表Ｔ１，Ｔ２，…を、撮像部（カメラ）１７により撮影し、工事工程表画像データ１２ｅ１，１２ｅ２，…として取り込む場合について説明した。これに限らず、紙の工事工程表Ｔ１，Ｔ２，…を外部のスキャナにより読み取り、工事工程表示装置１０に工事工程表画像データ１２ｅ１，１２ｅ２，…として取り込んだり、各工事業者の情報機器３０から送信された工事工程表Ｔ１，Ｔ２，…の表データを工事工程表示装置１０で受信し、工事工程表画像データ１２ｅ１，１２ｅ２，…に変換して取り込んだりしてもよい。
【００８２】
また、本実施形態の工事工程表示装置１０において、工事工程表重ね画像データ１２ｆは、各工事工程表画像データ（Ｔ１）１２ｅ１，（Ｔ２）１２ｅ２，…の、ユーザが指定したユーザ所望の範囲の作業時期（年、月、週など）だけを切り出して生成可能な構成としてもよい。
【００８３】
また、本実施形態の工事工程表示装置１０を、大画面のタッチパネル式表示部１６を有する情報機器を用いて構成し、例えば、工程会議に集まった複数の工事業者の各々が当該情報機器上に表示された工事工程表重ね画面Ｇを対象に、互いにタッチ操作し合って工事工程の調整を行なうようにしてもよい。
【００８４】
前記各実施形態において記載した工事工程表示装置１０による各処理の手法、すなわち、図３のフローチャートに示す工事工程表示処理等の各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の外部記録装置の媒体に記録して配布することができる。そして、表示部を備えた電子機器のコンピュータ（ＣＰＵ）は、この外部記録装置の媒体に記録されたプログラムを記憶装置に読み込み、この読み込んだプログラムによって動作が制御されることにより、前記各実施形態において説明した工事工程表示機能を実現し、前述した手法による同様の処理を実行することができる。
【００８５】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを表示部を備えた電子機器に取り込んで記憶装置に記憶させ、前述した工事工程表示機能を実現することもできる。
【００８６】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００８７】
１０…工事工程表示装置、１１…ＣＰＵ、１２…メモリ、
１２ａ…工事工程表示処理プログラム、１２ｂ…画像／図形処理プログラム、
１２ｃ…作業時期認識データ、１２ｄ…作業場所認識データ、
１２ｅ１，１２ｅ２，…工事工程表画像データ、１２ｆ…工事工程表重ね画像データ、
１３…記録媒体読取部、１４…外部記録媒体、１５…通信部、
１６…タッチパネル式表示部、１７…撮像部、１９…近距離無線通信部、
２０…Ｗｅｂサーバ、３０…外部機器、Ｔ１，Ｔ２，…工事工程表、
Ｔｎａ，Ｔｎｂ，…工程バー、Ａ１，Ａ２，Ｂ１，Ｂ２，…作業時期識別マーク、
Ｍ…作業場所識別マーク、Ｇ…工事工程表重ね画面。
【図１】
2020086768.tif 000003
【図２】
2020086768.tif 000004
【図３】
2020086768.tif 000005
【図４】
2020086768.tif 000006
【図５】
2020086768.tif 000007
【図６】
2020086768.tif 000008
【図７】
2020086768.tif 000009